(57)【要約】【課題】  外圧や内圧に対する強度が高く、側壁の倒壊を防止できる貯水施設を提供する。【解決手段】  空隙組立体と、前記空隙組立体の周囲に配置された側壁と、前記空隙組立体の上に配置された天井と、前記側壁の上端に固定された上支持部材と、を有する帯水構造体を有し、前記上支持部材を前記天井に固定したことを特徴とする貯水施設とした。【選択図】  図２
2019044384.tif 000002
【特許請求の範囲】
【請求項１】
空隙組立体と、
前記空隙組立体の周囲に配置された剛性の側壁と、
前記空隙組立体の上に配置された剛性の天井と、
前記側壁の上端に固定された上支持部材と、
を有する帯水構造体を有し、
前記上支持部材を前記天井に固定したことを特徴とする貯水施設。
【請求項２】
前記上支持部材の下面に下溝が形成され、前記側壁の上端が前記下溝に収容されている、請求項１の貯水施設。
【請求項３】
複数の前記空隙組立体が上下に積層されており、
上層の前記側壁の下端が、下層の前記上支持部材に固定されている、請求項１の貯水施設。
【請求項４】
前記上支持部材の上面に上溝が形成され、前記上層の側壁の下端が下層の前記上溝に収容されている、請求項３の貯水施設。
【請求項５】
前記空隙組立体は、水平方向に間隔を開けて配列された複数のブロックで形成され、
前記上支持部材は、前記ブロックの間に位置する、請求項１〜４のいずれかの貯水施設。
【請求項６】
前記側壁は、前記空隙組立体よりも背が高く、
前記天井は、前記側壁に架設されている、請求項１〜５のいずれかの貯水施設。
【請求項７】
前記側壁の下端を支持する下支持部材を更に有し、
前記下支持部材は、前記ブロックの間に位置する、請求項１〜６のいずれかの貯水施設。
【発明の詳細な説明】
【技術分野】
【０００１】
本発明は、雨水等を貯留又は浸透させるための貯水施設に関する。
【背景技術】
【０００２】
窪地等に複数のブロックを立体配置した高空隙率の空隙組立体によって雨水の貯留空間を形成した貯水施設が知られている（特許文献１，２）。この貯水施設は、低コストであり、空隙組立体の空隙に大量の貯水が可能である。
【先行技術文献】
【特許文献】
【０００３】
【特許文献１】特開２００４−２１１３１６号公報
【特許文献２】特開２０１２−０９２５５２号公報
【特許文献３】特開平１０−２５２１０８号公報
【特許文献４】特開平１１−２２２８８６号公報
【特許文献５】特開２００８−２８０７７５号公報
【特許文献６】特開２００７−３３２６９２号公報
【発明の概要】
【発明が解決しようとする課題】
【０００４】
引用文献１，２は、プラスチック等からなるブロックだけで構造を支えているので、土圧等に対する強度が充分でない。このため、本出願人は、空隙組立体１０を剛性の側壁２０及び天井３０で取り囲んだ帯水構造体４０を検討してきた（図１）。しかし、帯水構造体４０では、例えば、貯水量が増加したときの内圧により側壁２０が外側に倒壊する可能性があることが判明した。図１のように、帯水構造体４０を窪地２に設置して地表３まで埋め戻せば、外圧（土圧等）と内圧の相殺で外側への倒壊の可能性は小さくなるが、帯水構造体４０を地上に設置した場合は、そのような効果も期待できない。本発明は、外圧や内圧に対する強度が高く、側壁の倒壊を防止できる貯水施設を提供することを目的とする。
【課題を解決するための手段】
【０００５】
本願には、下記発明が開示される。
＜構成１＞
空隙組立体と、
前記空隙組立体の周囲に配置された剛性の側壁と、
前記空隙組立体の上に配置された剛性の天井と、
前記側壁の上端に固定された上支持部材と、
を有する帯水構造体を有し、
前記上支持部材を前記天井に固定したことを特徴とする貯水施設。
＜構成２＞
前記上支持部材の下面に下溝が形成され、前記側壁の上端が前記下溝に収容されている、構成１の貯水施設。
＜構成３＞
複数の前記空隙組立体が上下に積層されており、
上層の前記側壁の下端が、下層の前記上支持部材に固定されている、構成１の貯水施設。
＜構成４＞
前記上支持部材の上面に上溝が形成され、前記上層の側壁の下端が下層の前記上溝に収容されている、構成３の貯水施設。
＜構成５＞
前記空隙組立体は、水平方向に間隔を開けて配列された複数のブロックで形成され、
前記上支持部材は、前記ブロックの間に位置する、構成１〜４のいずれかの貯水施設。
＜構成６＞
前記側壁は、前記空隙組立体よりも背が高く、
前記天井は、前記側壁に架設されている、構成１〜５のいずれかの貯水施設。
＜構成７＞
前記側壁の下端を支持する下支持部材を更に有し、
前記下支持部材は、前記ブロックの間に位置する、構成１〜６のいずれかの貯水施設。
【図面の簡単な説明】
【０００６】
【図１】図１は、本願出願人がこれまで検討してきた貯水施設１を示す。
【図２】図２は、本発明の１実施形態の側面図及び平面図を示す。
【図３】図３は、例示的なブロック１１の斜視図、平面図及び側断面図を示す。
【図４】図４は、例示的な継手１２の平面図及び側面図を示す。
【図５】図５は、側壁２０の斜視図を示す。
【図６】図６は、下支持部材２１の斜視図及び側面図を示す。
【図７】図７は、上支持部材２２の斜視図及び側面図を示す。
【図８】図８は、天井３０の架設方法の例を示す。
【図９】図９は、他の実施形態の貯水施設１Ａを示す。
【図１０】図１０は、例示的な上支持部材２３を示す。
【図１１】図１１は、例示的なブロック１１の形状を示す。
【発明を実施するための形態】
【０００７】
図２は、本発明の１実施形態の貯水施設１を示す。貯水施設１は、帯水構造体４０を有する。帯水構造体４０は、空隙組立体１０、側壁２０及び天井３０を有する。帯水構造体４０の下地４は、砕石層や基礎コンクリート層とするとよい。帯水構造体４０は、窪地に設置しても地上に設置してもよい。貯水施設１は、図示しない流入管、流出管、溢流管、泥だめます、オリフィスなど必要に応じた付帯設備を有し得る。
【０００８】
空隙組立体１０は、雨水を貯留できる空隙（空間）を有する構造である。好ましくは、空隙組立体１０は、立体的に（上下前後左右に）積み重ねられた複数のブロック１１で構成される。隣接するブロック１１は、継手１２等を用いて連結するとよい。ブロック１１は、他の方法（例えば、特許文献６）で連結してもよい。ブロック１１及び継手１２は、硬質のプラスチックや金属等で形成するとよい。
【０００９】
図３は、例示的なブロック１１の斜視図、平面図及び側断面図を示す。図のブロック１１は、基部と、基部から上に延びる４本の中空の脚１１ａを有する。基部の下面には、連結構造１１ｂを有する。ブロック１１は、他の形状（例えば、特許文献３〜５や図１１）でもよい。
【００１０】
図４は、例示的な継手１２の平面図及び側面図を示す。継手１２は、嵌合等によって連結構造１１ｂと連結できる連結構造１２ａを有するとよい。
【００１１】
図２のように、空隙組立体１０は、柱部材１５で強化してもよい。柱部材１５は、例えば、継手１２に形成した貫通孔１２ｂに挿通固定するとよい。柱部材１５は、コンクリート又は鉄筋コンクリートで形成できる。塩ビ等のパイプにコンクリートを流し込んだ柱部材１５が特に好ましい。柱部材１５の上端は、天井３０に固定するとよい。
【００１２】
空隙組立体１０の外周を遮水性のシート（不図示）で覆うと、空隙組立体１０に雨水等を貯水できる。ブロック１１の脚部の間に空隙が形成されるので、大量の貯水が可能である。透水槽として使用する場合は、泥進入を防ぐ透水シートで覆うとよい。
【００１３】
空隙組立体１０の周囲には、複数の側壁２０が配置されている。側壁２０は、空隙組立体１０よりも背が高いのがよい。各側壁２０の上下端には、下支持部材２１及び上支持部材２２が固定されている。
【００１４】
図５は、側壁２０の斜視図を示す。図６は、下支持部材２１の斜視図及び側面図を示す。図７は、上支持部材２２の斜視図及び側面図を示す。側壁２０は、上部及び下部両側に切欠２０ａ，２０ｂを有する。下支持部材２１は、上面に上溝２１ａを有する。上支持部材２２は、下面に下溝２２ａを有する。上支持部材２２は、上面に凹凸構造２２ｂを有してもよい。
【００１５】
切欠２０ａと上溝２１ａを合わせて嵌合することで、相欠き継ぎ式で側壁２０と下支持部材２１を固定し、切欠２０ｂと下溝２２ａを合わせて嵌合することで、相欠き継ぎ式で側壁２０と上支持部材２２を固定することができる。図２に示すように、下支持部材２１及び上支持部材２２は、隣接するブロック１１の間のスペースＷに配置するとよい。
【００１６】
天井３０は、空隙組立体１０の上に配置され、上支持部材２２は、天井３０に固定される。これにより、天井３０が側壁２０に懸架される。上支持部材２２は、天井３０に埋設固定し、又は、天井３０に形成された凹部に収容固定するとよい。
【００１７】
側壁２０、天井３０、上下の支持部材２１，２２は、コンクリートや鉄筋コンクリート等の剛性材料（耐クリープ性の硬質材料）で形成するのが好ましい。
【００１８】
貯水施設１では、側壁２０の上端を上支持部材２２に固定し、上支持部材２２を天井３０に固定したので、外圧や内圧に対する強度が高くなる。特に、側壁２０の倒壊を防止できる。上支持部材２２が下溝２２ａを有すると、側壁２０と上支持部材２２の固定が強固になり、上支持部材２２が凹凸構造２２ｂを有すると、上支持部材２２と天井３０の固定が強固になる。空隙組立体１０の下方部分をコンクリート層６０で固めると、強度が一層高くなる。コンクリート層６０は、下支持部材２１の全部又は一部を埋込む高さにするとよい。
【００１９】
図８は、天井３０の架設方法の例を示す。空隙組立体１０及び側壁２０を設置した後に、図８（ａ）のように、それらの上部を保護シート５０で覆ってから、側壁２０の上端に上支持部材２２の下溝２２ａを挿入する。しかる後に、図８（ｂ）のように、生コンクリート３０を流し込んで硬化させる。これにより、上支持部材２２が天井３０に埋設固定される。柱部材１５は、天井３０に形成された凹部３１に収容されるので、柱部材１５を安定に保持できる。本方法では、天井３０と柱部材１５（又は側壁２０）が保護シート５０で縁切りされるため、将来必要が生じたときに、柱部材１５（又は側壁２０）を容易に取り外し／取り替えが可能である。
【００２０】
図９は、他の実施形態の貯水施設１Ａを示す。貯水施設１Ａは、上下に積層された複数の帯水構造体４０を有する。最上段を除く帯水構造体４０では、上支持部材２２に代えて上支持部材２３が使用されている。
【００２１】
図１０は、例示的な上支持部材２３を示す。上支持部材２３は、下面に下溝２３ａを有し、上面に上溝２３ｂを有する。下溝２３ａには下層の帯水構造体４０の側壁２０上端が収容され、上溝２３ｂには上層の帯水構造体４０の側壁２０下端が収容され、これにより、上支持部材２３が上下層の側壁２０と固定される。
【００２２】
貯水施設１Ａでは、帯水構造体４０の層数によって貯水量を増減できる。各層を低くして層数を増加させれば、貯水施設１Ａの強度が高くなる。
【００２３】
上記実施形態に記載した貯水施設やその要素の寸法、形状、配置、個数、材料等は例示であり、他の態様も可能である。
【符号の説明】
【００２４】
１・・・貯水施設
２・・・窪地
３・・・地表
４・・・下地
１０・・・空隙組立体
１１・・・ブロック
１２・・・継手
１２ａ・・・連結構造
１２ｂ・・・貫通孔
１５・・・柱部材
２０・・・側壁
２０ａ，２０ｂ・・・切欠
２１・・・下支持部材
２１ａ・・・上溝
２２・・・上支持部材
２２ａ・・・下溝
２２ｂ・・・凹凸構造
２３・・・上支持部材
２３ａ・・・下溝
２３ｂ・・・上溝
３０・・・天井
３１・・・凹部
４０・・・帯水構造体
５０・・・保護シート
６０・・・コンクリート層
【図１】
2019044384.tif 000003
【図２】
2019044384.tif 000004
【図３】
2019044384.tif 000005
【図４】
2019044384.tif 000006
【図５】
2019044384.tif 000007
【図６】
2019044384.tif 000008
【図７】
2019044384.tif 000009
【図８】
2019044384.tif 000010
【図９】
2019044384.tif 000011
【図１０】
2019044384.tif 000012
【図１１】
2019044384.tif 000013